(57)【要約】【課題】魚の当たりがあった場合、釣竿保持具に釣竿を保持したままでも穂先側を持ち上げるフッキング操作が素早くできる釣竿を提供することを目的とする。【解決手段】魚の当たりを待つ姿勢で釣竿保持具３１に竿尻部を保持する釣竿において、上記釣竿１１の竿尻部に上記釣竿１１の竿先側を上下方向へ振れるように上記釣竿１１の竿尻部を釣竿保持具に回動自在に支持する竿回動支持部を設けたものである。【選択図】      図４
2009055839.tif 000002
【特許請求の範囲】
【請求項１】
魚の当たりを待つ姿勢で竿尻部を釣竿保持具に保持する釣竿において、上記釣竿の竿尻部に上記釣竿の竿先側を上下方向へ振れるように上記釣竿の竿尻部を釣竿保持具に回動自在に支持する竿回動支持部を設けたことを特徴とする釣竿。
【請求項２】
魚の当たりを待つ姿勢で竿尻部を釣竿保持具に保持する釣竿において、上記釣竿の竿尻部に上記釣竿の左右方向へ向いて形成された孔を有し、この孔により該孔に差し込まれる連結ピンに対して上記釣竿の竿先側を上下方向へ振れるように上記竿尻部を上記釣竿保持具に回動自在に支持する竿回動支持部を形成したことを特徴とする釣竿。
【請求項３】
魚の当たりを待つ姿勢で竿尻部を釣竿保持具に保持する釣竿において、上記釣竿の竿尻部は上記釣竿の左右方向へ向いて配置された連結ピンを有し、該連結ピンは上記釣竿保持具に設けられたリング部に嵌め込むことにより上記釣竿の竿先側を上下方向へ振れるように上記釣竿の竿尻部を上記釣竿保持具に回動自在に支持する竿回動支持部を形成したことを特徴とする釣竿。
【請求項４】
魚の当たりを待つ姿勢で竿尻部を釣竿保持具に保持する釣竿において、上記釣竿の竿尻部は上記釣竿の左右方向へ向いて配置された連結ピンを有し、この連結ピンは該連結ピンを上記釣竿保持具に設けられた下向きの開口を有した切欠き部に嵌め込むことにより上記釣竿の竿先側を上下方向へ振れるように上記釣竿の竿尻部を上記釣竿保持具に回動自在に支持する竿回動支持部を形成したことを特徴とする釣竿。
【請求項５】
魚の当たりを待つ姿勢で竿尻部を釣竿保持具に保持する釣竿において、上記釣竿の竿尻部に上記釣竿の上方に向けて開口した係合凹部を設け、該係合凹部に上記釣竿保持具に設けた連結ピンを嵌め込むことにより上記釣竿の竿先側を上下方向へ振れるように上記釣竿の竿尻部を上記釣竿保持具に回動自在に支持する竿回動支持部を形成したことを特徴とする釣竿。
【請求項６】
魚の当たりを待つ姿勢で竿尻部を釣竿保持具に保持する釣竿において、上記釣竿の竿尻部に球状の先端チップを回動自在に係合する回転面形状の受け座を設け、この受け座は該受け座に係合した先端チップにより上記釣竿の竿先側を上下方向へ振れるように上記釣竿の竿尻部を上記釣竿保持具に回動自在に支持する竿回動支持部を形成したことを特徴とする釣竿。
【発明の詳細な説明】
【技術分野】
【０００１】
本発明は魚の当たりを待つ姿勢で釣竿の竿尻部を釣竿保持具に保持する竿回動支持部を設けた釣竿に関する。
【背景技術】
【０００２】
従来から知られる釣竿保持具１は図３０及び図３１に示すように釣竿２の元竿部分を載置する略Ｕ字状の竿掛部３を有した竿掛けアーム４と、釣竿２の竿尻部材５を受け止め支持するために矩形枠状に形成した竿受部６を有した竿受けアーム７とを備える。竿掛けアーム４と竿受けアーム７とは岩場の隙間等に突き刺して設置する支柱８の上部に水平上部アーム８ａを介して取り付けられる。そして釣竿保持具１に釣竿２を保持する場合は図３１に示すように釣竿２のリール装着部より竿尻側の元竿部分をＵ字状の竿掛部３に掛けるとともに竿尻部材５を竿受部６内に差し込む。すると、竿掛部３を支点として穂先側が竿尻側より重くなるために穂先側が下方へ移動しようとし、一方、竿尻側は上方へ移動しようとして釣竿を所定の姿勢で保持する。また、竿尻部材５には上下方向に貫通する孔９ａが設けられ、この孔９ａと同じく竿受部６の上枠に設けられた貫通孔９ｂの両者にわたりピン１０を貫通して装着し、竿尻部材５が竿受部６に連結され、竿尻部材５が竿受部６から外れることが防止される。
【特許文献１】特開２００４−１２９５６９号（段落［0025］〜［0028］の欄参照）
【発明の開示】
【発明が解決しようとする課題】
【０００３】
従来の釣竿保持具を使用して魚の当たりを待つ姿勢の釣竿はその竿尻部材の凹状溝を竿受部の上枠に嵌め込み係止するとともに上枠と竿尻部材をその両者にわたり上下方向に貫通するピンで連結するので釣竿保持具に釣竿を保持したままではその釣竿の竿先側を上下方向へ移動することが難しい。魚の当たりがあった場合、釣竿を釣竿保持具から外さないと、フッキングできず、このため、素早いフッキングを行うことが困難であった。例えば、石鯛釣のように大型の魚を釣る際に針の喰込みを促すために素早くフッキングを行うことは重要であるが、そのような場合においての素早い対応が困難であった。
【０００４】
本発明は上記事情にもとづいてなされたもので、魚の当たりがあった場合、釣竿保持具に釣竿を保持したままでも穂先側を持ち上げるフッキング操作が素早くできる釣竿を提供することを目的とする。
【課題を解決するための手段】
【０００５】
本発明は、魚の当たりを待つ姿勢で竿尻部を釣竿保持具に保持する釣竿において、上記釣竿の竿尻部に上記釣竿の竿先側を上下方向へ振れるように上記釣竿の竿尻部を釣竿保持具に回動自在に支持する竿回動支持部を設けたことを特徴とする釣竿である。  
本発明は、魚の当たりを待つ姿勢で竿尻部を釣竿保持具に保持する釣竿において、上記釣竿の竿尻部に上記釣竿の左右方向へ向いて形成された孔を有し、この孔により該孔に差し込まれる連結ピンに対して上記釣竿の竿先側を上下方向へ振れるように上記竿尻部を上記釣竿保持具に回動自在に支持する竿回動支持部を形成したことを特徴とする釣竿である。  
本発明は、魚の当たりを待つ姿勢で竿尻部を釣竿保持具に保持する釣竿において、上記釣竿の竿尻部は上記釣竿の左右方向へ向いて配置された連結ピンを有し、該連結ピンは上記釣竿保持具に設けられたリング部に嵌め込むことにより上記釣竿の竿先側を上下方向へ振れるように上記釣竿の竿尻部を上記釣竿保持具に回動自在に支持する竿回動支持部を形成したことを特徴とする釣竿である。  
本発明は、魚の当たりを待つ姿勢で竿尻部を釣竿保持具に保持する釣竿において、上記釣竿の竿尻部は上記釣竿の左右方向へ向いて配置された連結ピンを有し、この連結ピンは該連結ピンを上記釣竿保持具に設けられた下向きの開口を有した切欠き部に嵌め込むことにより上記釣竿の竿先側を上下方向へ振れるように上記釣竿の竿尻部を上記釣竿保持具に回動自在に支持する竿回動支持部を形成したことを特徴とする釣竿である。  
本発明は、魚の当たりを待つ姿勢で竿尻部を釣竿保持具に保持する釣竿において、上記釣竿の竿尻部に上記釣竿の上方に向けて開口した係合凹部を設け、該係合凹部に上記釣竿保持具に設けた連結ピンを嵌め込むことにより上記釣竿の竿先側を上下方向へ振れるように上記釣竿の竿尻部を上記釣竿保持具に回動自在に支持する竿回動支持部を形成したことを特徴とする釣竿である。  
本発明は、魚の当たりを待つ姿勢で竿尻部を釣竿保持具に保持する釣竿において、上記釣竿の竿尻部に球状の先端チップを回動自在に係合する回転面形状の受け座を設け、この受け座は該受け座に係合した先端チップにより上記釣竿の竿先側を上下方向へ振れるように上記釣竿の竿尻部を上記釣竿保持具に回動自在に支持する竿回動支持部を形成したことを特徴とする釣竿である。
【発明の効果】
【０００６】
本発明によれば、魚の当たりがあった場合、釣竿を釣竿保持具に保持したままでも穂先側を持ち上げる釣竿のフッキング操作を素早くできる。
【発明を実施するための最良の形態】
【０００７】
図１は本実施形態に係る釣竿１１である。この釣竿１１は穂先側に向けて細径化する複数の竿部材からなり、最も竿尻側に配置される元竿１２と最も穂先側に配置される穂先竿１３と、その元竿１２と穂先竿１３との間に配置される複数の中竿１４とで構成されている。各竿部材の外周面には釣糸を挿通可能なリング状の釣糸ガイド１６が設けられている。元竿１２にはリール装着部１７が設けられている。図２に示すようにリール装着部１７はシート本体部２１と、シート本体部２１の竿尻側に位置して該シート本体部２１に対して固定的に設けられた固定フード２２と、シート本体部２１の穂先側に位置して該シート本体部２１に対して移動自在に設けられた移動フード２３と、移動フード２３を移動させるナット２４とを備える。そしてリール装着部１７に装着された図示しないリールから穂先側に向かって釣糸が引き出され、引き出される釣糸は釣糸ガイド１６に挿通して穂先まで案内される。元竿１２はリール装着部１７を含みその前後をグリップ部１８の領域としている。
【０００８】
この釣竿の構造としては並継、インロー継などの形式の他に振り出し式等の形式も採用可能である。竿部材は例えば炭素繊維等の強化繊維にエポキシ樹脂などの合成樹脂を含浸した繊維強化プリプレグを巻回して形成し、その後、熱硬化処理することにより作られる。
【０００９】
また、図２に示すように、元竿１２の竿尻端には尻栓（竿尻部材）を兼ねた腹当て部材２５が設けられ、この部分を竿尻部としている。腹当て部材２５は図３（Ａ）（Ｂ）に示すように元竿１２の竿尻端からその元竿１２内に密に嵌入される略円柱状の嵌込部２６と、元竿１２の竿尻端から外へ突出した腹当て本体２７とが一体に形成されている。腹当て部材２５は例えば合成樹脂、木材または金属等で形成される。本実施形態では金属によって一体に形成されている。図２に示す腹当て部材２５ではその腹当て本体２７の上面に凹状溝２８を形成し、その凹状溝２８を釣竿保持具の枠等に引っ掛けるように保持させて釣竿が不用意に水中等に落ちることを防止するようにしてもよいが、図３（Ａ）（Ｂ）に示すように該凹状溝を形成しないものであってもよい。また、腹当て部材２５には後述する支持用孔２９とは別の図示しない貫通孔を設けてこれに紐等を挿通し、該紐を釣竿保持具や他の固定物または釣人に締結して釣竿が不用意に水中等に落ちてしまうことを防止するようにしてもよい。
【００１０】
図３（Ａ）（Ｂ）に示すように釣竿の腹当て本体２７には水平方向に向かってその腹当て本体２７を横切る支持用孔２９が形成されている。ここでは腹当て部材２５が釣竿の尻栓部材を兼ねているので該腹当て本体２７は図３（Ｂ）に示すように元竿１２の竿尻端の径よりも大きい横幅（竿の水平方向の幅）を有し、また図３（Ａ）に示すように上下方向に薄い平たい形に形成される。腹当て本体２７の突出し端は腹当て面部３０を形成する。上記支持用孔２９はその腹当て本体２７の幅広い後端部領域を水平方向へ横切って貫通する。ところで釣竿についての上下左右または水平等の方向や向きについてはその釣竿を使用する釣人の立場から該釣竿の方向や向きを見ることを原則とする。
【００１１】
図４は本実施形態に係る釣竿を保持する釣竿保持具３１を示した斜視図であり、この釣竿保持具３１は釣竿１１の元竿部分を載置する略Ｕ字状の竿掛部３２を有した竿掛けアーム３３と、釣竿１１の腹当て部材２５を支持するために竿受部３４を有した竿受けアーム３５とを備えている。竿掛けアーム３３と竿受けアーム３５とは支持体としての支柱４０の上部に水平上部アーム４０ａを介して取り付けられている。ここで支持体は地面や岩場に突き刺すピン状の支柱４０としたが、台座または船の舷の上縁等に取り付け得るようにした支持具でもよい。
【００１２】
上記竿受部３４は図５に示すように上枠３６、下枠３７、左枠３８および右枠３９からなる矩形状の枠として構成され、上記下枠３７の部分が竿受けアーム３５を介して上記支柱４０の水平上部アーム４０ａに固定されている。竿受部３４の左枠３８と右枠３９には同じ高さの位置にピン差込み孔４１が設けられ、これらのピン差込み孔４１は左右対称に配置される。この左枠３８と右枠３９のピン差込み孔４１には図４及び図６に示す連結ピン４２が水平方向から着脱自在に差し込まれる。連結ピン４２は腹当て本体２７の支持用孔２９にも挿通される。そして左枠３８と右枠３９の間に腹当て部材２５を位置させて一方のピン差込み孔４１から連結ピン４２を差し込み、さらに腹当て部材２５の支持用孔２９から他方のピン差込み孔４１にまで該連結ピン４２を差し込むことにより連結ピン４２で釣竿１１の腹当て部材２５を竿受部３４に回動自在に枢着する。これにより上記釣竿の竿先側を上下方向へ振れるように上記竿受部３４に対して上記腹当て部材２５を回動自在に支持する竿回動支持部を構成する。この竿回動支持部によって釣竿１１の腹当て部材２５は竿受部３４に対して回動自在に支持されるようになり、釣竿１１は釣竿保持具３１に保持した状態で連結ピン４２を中心として穂先側を持ち上げるフッキングが可能になる。
【００１３】
ここでの支持用孔２９は腹当て部材２５を左右方向に貫通して形成され、これに連結ピン４２を左右に貫通させて取り付けるようにしたが、支持用孔２９を腹当て部材２５に貫通させずに腹当て部材２５の左右側壁にそれぞれ部分的に形成した支持用孔とするものでもよい。この場合は連結ピンを尻栓に貫通できないが、竿受部の両側からピン差込み孔に別々の連結ピンを差し込むことにより連結できる。
【００１４】
本実施形態に係る釣竿１１は以上の如く構成される。これを使用する場合は図４に示すように釣竿保持具の竿受部３４内に釣竿の腹当て部材２５を入れ、左枠３８と右枠３９の間に該腹当て部材２５を配置する。そして一方のピン差込み孔４１から連結ピン４２を差し込み、さらに腹当て部材２５の支持用孔２９から他方のピン差込み孔４１に突き刺さるまで連結ピン４２を差し入れる。これにより釣竿の竿尻部である腹当て本体２７は連結ピン４２により竿受部３４に枢着される。そして釣竿１１の元竿部分を略Ｕ字状の竿掛部３２に掛けて載置する。
【００１５】
以上の釣竿の保持状態では竿掛部３２を支点として釣竿の穂先側が竿尻側より重くなるために穂先側が下方へ移動しようとし、竿尻側は上方へ移動しようとして竿受部３４に受け止められ、釣竿１１は魚の当たりを待つ所定の姿勢で釣竿保持具に保持される。
【００１６】
そして竿受部３４に釣竿１１を連結したままでも釣竿１１の穂先側を持ち上げて上下方向に回動できる。したがって魚の当たりがあった場合、竿受部３４に釣竿１１を連結したまま、穂先側を持ち上げるフッキング操作を魚の当たりを感じた後に直ちに行うことが可能である。石鯛釣のように大型の魚を釣る際に針の喰込みを促すためにフッキング操作はきわめて重要であるが、本実施形態の釣竿は該釣竿を釣竿保持具に保持したままでも穂先側を持ち上げるフッキング操作が可能であるため、魚の当たりがあった場合、チャンスを逃すことなく素早いフッキングができる。
【００１７】
図７乃至図９は本実施形態に係る釣竿の他の例を示す。先に述べた実施形態におけるものと同様な構成についてはその説明を原則として省略するとともに同一の符号を使用して説明する。この実施形態に係る釣竿１１の腹当て部材２５は図７（Ａ）（Ｂ）に示すように元竿１２への嵌込部２６と元竿の竿尻端から外へ突出した腹当て本体２７とが一体に形成される。腹当て本体２７の突出し端部には上下方向に突抜けて後方を開放した切欠部４５を形成するとともにその切欠部４５の左右に側片部４６をそれぞれ配置した。左右の側片部４６には上記連結ピン４２を差し込むピン差込み孔５０を水平方向に貫通して形成する。左右の側片部４６それぞれに形成されるピン差込み孔５０は同一軸線上に形成されており、それらのピン差込み孔５０に連結ピン４２を直線的に差し込めるようになっている。
【００１８】
釣竿保持具は上述した釣竿保持具と略同様に構成されるが、竿受部３４については次の如く構成される。つまり図８に示すように竿受けアーム３５を上下方向に向いた鉛直な支柱として形成し、この竿受けアーム３５の途中に連結部材４７を取り付けるようにした。連結部材４７は竿受けアーム３５に被嵌するリング部４８と、このリング部４８から釣竿側への前方へ突き出す連結片４９とを含み構成される。図９に示すように連結片４９は釣竿１１の腹当て部材２５における切欠部４５内に入り込める幅と形状と大きさとなっている。連結片４９には上記連結ピン４２を着脱自在に差し込めるピン差込み孔５１が水平方向に貫通して形成される。そして図９に示すように左右の側片部４６にそれぞれ形成されたピン差込み孔５０とピン差込み孔５１の中心の位置を合せて同一軸線上に配置した状態でそれらのピン差込み孔にわたり連結ピン４２を差し込むことにより釣竿１１の腹当て部材２５を竿受部３４に枢着できる。これにより釣竿の穂先側が上下に振れる向きに上記釣竿の竿尻部は竿受部３４に対して回動自在に保持される。このように釣竿１１を連結ピン４２によって竿受部３４に回動自在に支持するので釣竿１１は釣竿保持具３１に保持した状態でもその連結ピン４２を中心として穂先側部分を持ち上げる回動操作（フッキング）が可能である。
【００１９】
そして本実施形態に係る釣竿を使用する場合は図９に示すように釣竿１１の腹当て部材２５における切欠部４５内に竿受部３４の連結片４９を差し込んで嵌め込み、側片部４６のピン差込み孔５０と連結片４９のピン差込み孔５１の位置を合せて同一軸線上に配置した状態でそれらのピン差込み孔にわたり連結ピン４２を差し込む。これにより釣竿１１の腹当て部材２５は竿受部３４に連結できる。そして釣竿１１の元竿部分を略Ｕ字状の竿掛部３２に掛けて載置して釣竿１１を保持できる。つまり竿掛部３２を支点として釣竿１１の穂先側は竿尻側より重くなるために穂先側が下方へ移動しようとし、また、竿尻側は上方へ移動しようとして竿受部３４に受け止められ、釣竿１１は魚の当たりを待つ所定の姿勢で保持される。
【００２０】
魚の当たりがあった場合には連結ピン４２を抜くことにより竿受部３４から腹当て部材２５を外して釣竿１１を取り上げることもできるが、素早い操作は無理である。本実施形態では釣竿１１を竿受部３４に連結したままでも、釣竿１１の穂先側を持ち上げるフッキングを行うことが可能である。したがって魚の当たりを感じた後に素早くフッキング操作を行うことができる。このようにフッキング操作を釣竿１１を竿受部３４に連結したままでも直ちに行うことができるので石鯛釣のように大型の魚を釣る際の針の喰込みを促すチャンスを逃すことなく素早く対応できる。
【００２１】
図１０乃至図１３は釣竿の更に異なる他の例を示す。先に述べた実施形態と同様な構成についてはその説明を原則として省略するとともに同一の符号を使用する。
【００２２】
本実施形態に係る釣竿の腹当て部材２５は図１０（Ａ）（Ｂ）に示すように元竿１２の部分への嵌込部２６と元竿の竿尻端から外へ突出した腹当て本体２７とを一体に形成している。腹当て本体２７の突出し端部には上下方向に突抜けて後方を開放した切欠部５５を形成し、その切欠部５５の左右には側片部５６がそれぞれ配設されている。この左右の側片部５６には丸棒状の連結ピン５７が上記切欠部５５を水平方向へ横切る左右の向きに架設されている。
【００２３】
本実施形態に係る釣竿保持具は上述した釣竿保持具３１と略同様に構成されるが、竿受部３４は次の如く構成される。つまり図１１に示すように釣竿保持具３１の竿受けアーム３５を上下方向に垂直な支柱として形成し、この竿受けアーム３５の途中部分に連結部材５８を取り付けたものである。連結部材５８は竿受けアーム３５に被嵌して取り付けられるリング部５９と、このリング部５９から前方へ突き出す連結片６０とから構成される。図１２に示すように連結片６０は釣竿の腹当て部材２５における切欠部５５内に入り込める幅と形状と大きさに形成される。また、図１１に示すように連結片６０はその一部に開口（出入口）６１を有するリング部材からなり、いわゆるＣリング状に形成されている。この連結片６０はＣリング状の形態とその弾性を有する素材により開口６１を弾性的に押し広げてその開口の間隔を広げることができる。
【００２４】
また、連結片６０の開口６１の位置は連結片６０が突き出す方向（釣竿の長手軸方向）である釣竿１１の長手軸方向における該連結片６０の先端に設けられている。もっとも、この開口６１の位置はそれに限らず、例えば連結片６０の突き出す方向に斜めの方向または下方に向けてつまり釣竿１１の長手軸方向を避けた向きに形成してもよい。
【００２５】
ここで該開口６１の位置は魚の当たりを待つ姿勢で上記元竿を保持するとき、該元竿から受ける力の方向とは異なる向きとするとよい。これには連結片６０が突き出す方向に斜めの方向または下方に向けて釣竿１１の長手軸方向を避けた向きを含む。また、連結片６０の内径は釣竿１１の連結ピン５７の外径と略等しいかそれ以上のものであってその連結ピン５７の外周に被嵌できる寸法に形成される。
【００２６】
上記開口６１の間隙は自然状態では連結ピン５７の外径より小さく、その開口６１を押し広げない限り、開口６１から連結ピン５７を出し入れできない（図１３（Ａ）参照）。しかし、釣竿１１を該釣竿を手に持って引き抜く操作で連結ピン５７によって開口６１は押し広がり（図１３（Ｂ）参照）、該開口６１から連結ピン５７が抜け、連結片６０から釣竿１１を外せる。つまり連結ピン５７は連結片６０から着脱可能な着脱機構となり、竿着脱機構部を構成する。そして釣竿自体を操作するだけで釣竿保持具から釣竿を簡単に素早く外せるとともに簡単に取り付けることができる。この竿着脱機構部によればピン等の別部材の取付け操作や引き抜き操作等の手作業が必要な解除操作を必要とすることなく、釣竿１１自体を操作するだけで釣竿保持具から釣竿を素早く簡単に外せる。したがって魚の当たりがあった場合、フッキングを即座に出来、その後、釣竿を釣竿保持具から素早く取り外せてかかった魚に対する竿操作を素早く的確に行うことができる。
【００２７】
また、図１２に示すように左右の側片部５６の間に連結片６０を差し込むようにして開口６１から連結片６０の内部に連結ピン５７を取り込むように接続するが、この際、開口６１は弾性的に広がり、連結ピン５７を連結片６０の内部に取り込む。連結ピン５７が連結片６０の内部に取り込まれた後に開口６１は窄まり連結ピン５７の抜けを阻止する。そして釣竿の連結ピン５７は連結片６０に嵌り、釣竿１１の腹当て部材２５を竿受部３４に該釣竿１１を上下方向へ回動自在に支持する竿回動支持部を構成する。これにより釣竿１１を上下方向へ回動自在に竿受部３４に支持できる。
【００２８】
このように釣竿１１を連結ピン５７によって竿受部３４に回動自在に支持するようにしたので釣竿保持具３１に保持した状態で連結ピン５７を中心として釣竿１１の穂先側を持ち上げるフッキングが可能である。したがって魚の当たりを感じた場合、竿受部３４に釣竿１１を連結したまま、釣竿１１の穂先側を持ち上げるフッキングを直ちに行うことができるので例えば石鯛釣のように大型の魚を釣る際の針の喰込みを促すチャンスを逃すことなく素早く対応できる。
【００２９】
図１４及び図１５は本実施形態に係る釣竿の更に異なる他の例を示す。先に述べた実施形態におけるものと同様な構成についてはその説明を原則として省略するとともに同一の符号を使用する。釣竿１１は図１０に示すものと同様な構成でよい。また、釣竿保持具は連結部材５８の連結片６０を除き、図１１及び図１２に述べたものと同様でよい。また、図１４に示すように連結部材５８の連結片６０には下方に向いて開口する切欠部６５が設けられ、その切欠部６５は上下方向に連結片６０の左右幅及び前後幅よりも長く形成されている。切欠部６５の上下方向への切込み長さは該切欠部６５に差し込まれる連結ピン５７の径よりも大きい。このため、該切欠部６５に差し込まれた後述する連結ピン５７が多少動いても不用意に該切欠部６５から外れ難い。また、切欠部６５の間隙はその切欠部６５に嵌め込む腹当て部材２５の連結ピン５７の径と同じかそれよりも大きい。したがって切欠部６５にはその下側から上記連結ピン５７を出し入れできる。切欠部６５には釣竿から受ける力の方向とは異なる方向である連結部材５８の下側から腹当て部材２５の連結ピン５７を出し入れ可能である。そして図１５に示したように連結ピン５７を連結片６０に連結した釣竿の保持状態で該釣竿１１はその連結ピン５７の中心軸廻りに竿先側部分が上下方向へ回動可能である。つまり連結ピン５７は連結片６０の切欠部６５に嵌り込んだ状態で釣竿１１の腹当て部材２５を竿受部３４に支持できる竿回動支持部を構成する。
【００３０】
そして釣竿１１を釣竿保持具から外す場合、釣竿の腹当て部材２５を押し下げると、切欠部６５から連結ピン５７が抜け出て釣竿１１側の連結ピン５７を連結片６０から簡単に外せる。つまり連結片６０から連結ピン５７が着脱可能であり、釣竿１１の連結ピン５７により竿着脱機構を構成する。そして釣竿の着脱にはピン等の別部材の操作を必要とすることなく、釣竿自体を操作するだけで釣竿保持具から釣竿を簡単に着脱できる。したがって釣竿保持具から釣竿１１を簡単かつ素早く外せるようになる。
【００３１】
以上の如く連結ピン５７によって釣竿１１を竿受部３４に回動自在に支持するようにしたので釣竿保持具３１に保持した状態で釣竿１１は連結ピン５７を中心として該釣竿の穂先側部分を持ち上げるフッキングが可能である。
【００３２】
図１６乃至図１９は釣竿の更に異なる他の例を示す。先に述べた実施形態におけるものと同様な構成についてはその説明を原則として省略するとともに同一の符号を使用する。釣竿１１は上述した場合と同様な構成でよいが、この実施形態では図１６（Ａ）（Ｂ）に示すように腹当て本体２７の突出し端部に上下方向に突抜けて後方を開放した切欠部５５を形成し、この切欠部５５の左右に位置する側片部５６の上面には後述する釣竿保持具の連結ピン７１を受ける係合部としての凹部６７を設ける。該凹部６７は図１６（Ａ）に示すように左右に突抜けるとともに上方に向けて開口した凹溝からなる受部を形成するものである。そして凹部６７は後述する釣竿保持具の連結ピン７１に回動自在に係合して該連結ピン７１に対して釣竿１１を回動自在に支持する竿回動支持部を構成する（図１８参照）。また、受部は釣竿保持具における竿受部３４の連結ピン７１を着脱自在に嵌め込み、釣竿を受け止め支持するようになっている。
【００３３】
釣竿保持具の竿受部３４は図１７に示すように竿受けアーム３５の途中に取り付けたリング部４８と、このリング部４８から釣竿側の前方へ突出した連結片４９とを含み構成され、該連結片４９には左右水平方向に突出した上記連結ピン７１を設けることにより釣竿を連結する連結部材を構成している。図１７に示すように連結片４９は側面となる片（板）面が上下方向へ向いて配置され、この連結片４９は図１７に示すように釣竿１１の腹当て部材２５における切欠部５５内に嵌め込み可能である。そして図１８に示すように切欠部５５内に連結片４９を嵌め込んだ状態で上記連結ピン７１が釣竿１１の凹部内に入り込み、上記連結ピン７１は左右の側片部５６の上面にわたりその側片部５６を支持して腹当て本体２７を受け止める。これにより釣竿の穂先側が上下に振れる向きに上記竿尻部を回動自在に支持する竿回動支持部を構成する。また、凹部６７は連結ピン７１に対して下側から当たりその連結ピン７１に係止するため、釣竿１１の腹当て部材２５を下向きに移動させれば連結ピン７１から腹当て部材２５を取り外すことができる。ここでは魚の当たりを待つ姿勢で該竿受部が元竿から受ける力の方向とは異なる向きに該竿受部に支持する元竿を移動することで元竿は釣竿保持具の竿受部から外れるようにした竿着脱機構を構成している。
【００３４】
また、図１６（Ａ）に示すように上記凹部６７を形成する凹溝は穂先側の壁面が傾斜しており、竿尻側の壁面は釣竿の長手軸方向に略垂直である。このため、釣竿の長手軸方向において穂先側に釣竿を引いても連結ピン７１に対する受部の係合状態を維持できるとともにその受部の凹溝はその開口が広くなっているので連結ピン７１から外し易い。そして図１９（Ａ）（Ｂ）に示すように連結ピン７１に対して釣竿の腹当て部材２５を押し下げることで釣竿を外すことができる。そして釣竿を穂先側へ移動すると完全に抜去できる。つまり竿着脱機構により釣竿自体を操作することで釣竿保持具から釣竿１１を素早く簡単に外せる。また、釣竿保持具に釣竿を簡単に取り付けることもできる。
【００３５】
図２０（Ａ）（Ｂ）は釣竿の更に異なる他の例を示す。先に述べた実施形態におけるものと同様な構成についてはその説明を原則として省略するとともに同一の符号を使用する。ここでの釣竿保持具は図１０乃至図１３に示した釣竿保持具を変形したものである。つまり釣竿１１の腹当て本体２７の突出し端部に設けた連結ピン５７の横断面形状を扁平な形状とし、その扁平な薄い形の部分の厚さを竿受部３４のＣリング状の形態とした連結片６０の開口６１の幅内に設定した。連結ピン５７の扁平な薄い部分は該連結ピンの対向する周面部分を切り欠いて平行な平坦面を形成したものであり、その平坦面の面方向つまり扁平な部分の扁平方向は釣竿の長軸方向に対して平行ではなく、略突出し側（竿の穂先側）が下側に位置するように斜めに傾斜する。そして連結片６０の開口６１の位置は水平方向な前方中央に位置して開口する。
【００３６】
したがって図２０（Ａ）に示すように魚の当たりを待つ姿勢で釣竿１１を保持する場合では係止部としての連結片６０の開口６１とその扁平な部分の端部はずれる。そして連結ピン５７は連結片６０に係止し、開口６１から簡単に外れない状態にある。また、釣竿の長手軸方向の竿先側の方向とは異なる上向きに釣竿を持ち上げると、図２０（Ｂ）に示すように連結ピン５７の先端側部分と開口６１の位置が一致し、この状態で上記釣竿の竿尻部を前方に動かすことにより外れる。なお、連結ピン５７の扁平な部分との向きと連結片６０の開口６１の向きは釣竿保持具に保持する釣竿の姿勢でずれ、釣竿を引き上げると一致する関係にあれば他の向きの関係にあってもよい。
【００３７】
図２０（Ｂ）に示すように、釣竿１１を持ち上げると、連結ピン５７の扁平な端部の向きが連結片６０の開口６１に一致し、釣竿１１を、該竿先側を高く持ち上げた姿勢で釣竿１１を竿受部３４から引き抜き容易に外せるので、魚の当たりがあった場合、穂先側を持ち上げるフッキングを素早く行なうと同時にその釣竿１１を外すことも一連の操作として素早くできる。この一連の操作は釣竿自体を操作するだけで済む。また、水平に配置した図２０（Ａ）の状態では誤って釣竿が釣竿保持具から外れるのを防止出来る。この実施形態では釣竿の竿先側が上下に振れる向きに上記元竿の竿尻部を回動自在に支持すると同時に竿先側を高く持ち上げた姿勢で元竿を前方へ移動することで釣竿保持具の竿受部から元竿を外せる竿着脱部を構成する。
【００３８】
図２１及び図２２は更に異なる他の例を示す。先に述べた実施形態におけるものと同様な構成についてはその説明を原則として省略するとともに同一の符号を使用する。この実施形態では図１乃至図４に示した釣竿保持具３１を使用してその釣竿保持具３１に保持できるようにした釣竿１１についての変形例である。釣竿１１の腹当て部材２５における腹当て本体２７に直接、ピン差込み孔を形成せず、腹当て本体２７に取り付ける別部材の回動体８１に支持用孔２９を形成するようにしたものである。つまり腹当て本体２７の突出し端部には左右方向に突抜けて後方を開放した切欠部８２を形成するとともにその切欠部８２内に円板状の回動体８１を配置する。回動体８１は上記切欠部８２の上下に位置する片部８３にわたりその切欠部８２内を上下に貫通する回動軸体８４により軸支されている。そして回動体８１は回動軸体８４により腹当て部材２５に軸支され、腹当て本体２７に対して左右方向へ回動自在に取着されている。
【００３９】
また、回動体８１の一周側部には左右方向に貫通した支持用孔２９が設けられる。そして図２２に示すように回動体８１の支持用孔２９は該支持用孔２９に竿受部３４の連結ピン４２を差し込んで上記竿受部３４に対して釣竿１１を上下左右方向へ回動自在に支持するようにした竿回動支持部を構成している。つまり回動体８１及び該回動体８１に支持用孔２９を設けることにより釣竿１１の穂先側を上下方向に回動自在に支持する竿回動支持部と釣竿を左右方向へ回動自在に支持する竿回動支持部を構成する。
【００４０】
これを使用する場合は図２２に示す竿受部３４を使用する。（ここでの竿受部３４は上枠を除いた図５及び図６に示した形態のものと同様である。）  
そして竿受部３４の一方のピン差込み孔４１から回動体８１の支持用孔２９に連結ピン４２を差し込む。さらに連結ピン４２を竿受部３４の他方のピン差込み孔４１に差し込み、この連結ピン４２により腹当て本体２７を竿受部３４に枢着する。ついで釣竿１１の元竿部分を下げて略Ｕ字状の竿掛部３２に掛けて載置する。すると、竿掛部３２を支点として釣竿１１の穂先側が下がり、竿尻側が上方へ移動しようとして竿受部３４に受け止められる。
【００４１】
そして釣竿１１は魚の当たりを待つ所定の姿勢で釣竿保持具３１に保持される。魚の当たりがあった場合、竿受部３４に釣竿１１を連結したままでも釣竿１１の穂先側を持ち上げるフッキング操作を直ちに行うことが可能である。また、竿受部３４に釣竿１１を連結したままで釣竿１１を左右方向にも振ることもできる。魚の当たりがあった場合の素早い竿操作が竿受部３４に釣竿１１を連結したままでも可能になる。
【００４２】
図２３及び図２４は更に異なる他の例を示す。先に述べた実施形態におけるものと同様な構成はその説明を原則として省略するとともに同一の符号を使用する。この実施形態では釣竿１１における腹当て本体２７の後端部領域における上面部にその一部を左右方向に沿って左右方向に突抜けて矩形の溝状に切欠いた凹部８５を形成し、この凹部８５内に回動体８６を配置する。回動体８６は例えば円板状の部材によって形成される。回動体８６は上記凹部８５の底部から上方向に延びた回動軸８７に枢着され、水平方向に回動できるように腹当て本体２７に取り付けられている。回動体８６の上面部には図２３（Ａ）（Ｂ）（Ｃ）に示すように左右に突抜けた凹溝を形成し、この凹溝によって竿受部３４の連結ピン７１を嵌め込んでその連結ピン７１を受け止める受部８８を形成する。この受部は釣竿の上方に向けて開口した係合凹部を形成することにより上記釣竿の竿先側を上下方向へ振れるように釣竿保持具に回動自在に支持する竿回動支持部を構成する。
【００４３】
図２４に示すように竿受部３４は下枠３７と左枠３８と右枠３９を有し、下枠３７の部分が竿受けアーム３５を介して支柱４０に固定されている。竿受部３４の左枠３８と右枠３９には図４及び図６に示す連結ピン７１が概ね水平に位置して竿受部３４の左枠３８と右枠３９に対して固定的に架設されている。そして回動体８６の受部８８によって連結ピン７１を受け止めて釣竿１１は竿受部３４に支持される。
【００４４】
ここでは回動体８６の受部８８に竿受部３４の連結ピン７１を嵌め込んで釣竿１１を保持し、釣竿の竿尻部は釣竿の穂先側が上下に振れる向きに回動自在に支持されるようになっている。そして釣竿の竿尻部には釣竿の穂先側が上下に振れる向きに支持する竿回動支持部を構成する。また、回動体８６が回動して釣竿の穂先側を左右方向に振れるように支持するため、竿受部３４に支持された釣竿の竿先側を左右方向へ移動自在に上記元竿の竿尻部を支持する竿回動支持部を同時に構成する。
【００４５】
また、回動体８６の受部８８は連結ピン７１に対して下側から当たりその連結ピン７１に対して係止するので釣竿１１の腹当て部材２５を下向きに移動させれば連結ピン７１から腹当て部材２５を直ちに簡単に取り外すことができる。これにより竿受部３４は魚の当たりを待つ姿勢で該竿受部３４が元竿１２から受ける力の方向とは異なる向きに該竿受部３４に支持する元竿自体を移動するだけで元竿が竿受部３４の受部から外れる竿着脱部を構成する。
【００４６】
また、図２３（Ａ）（Ｂ）（Ｃ）に示すように回動体８６の受部８８は穂先側の壁面が傾斜しており、竿尻側の壁面は釣竿の長手軸方向に略垂直であるので釣竿の長手軸方向において穂先側に釣竿を引いても連結ピン７１に対する受部の係合状態を維持できる一方、その受部の開口が前方に広くなっているために連結ピン７１に対して釣竿の腹当て部材２５を押し下げることで釣竿を簡単に外すことができる。そして釣竿を穂先側へ移動すると釣竿保持具の竿受部３４から完全に抜去できる。
【００４７】
図２５乃至図２７は釣竿の更に異なる他の例を示す。先に述べた実施形態におけるものと同様な構成についてはその説明を原則として省略するとともに同一の符号を使用する。この実施形態における釣竿１１の元竿１２における竿尻端には尻栓（竿尻部材）を兼ねた腹当て部材２５が設けられている。この腹当て部材２５の竿尻端から外へ突出した腹当て本体２７における後端部領域には後述する釣竿保持具の竿受部３４に対して着脱自在に接続するための接続部９０が構成されている。
【００４８】
一方、釣竿保持具の竿受部３４は図２６に示すように構成される。つまり竿受けアーム３５を支柱として形成し、この支柱の途中に連結部材４７を取り付ける。連結部材４７は竿受けアーム３５に被嵌するリング部４８と、このリング部４８から釣竿側への前方へ突出す連結アーム９１と、この連結アーム９１の突出し先端に取着された軸体としての球状の先端チップ９２とから構成される。先端チップ９２の径は連結アーム９１の径よりも大きい。
【００４９】
上記釣竿１１の接続部９０には図２５（Ａ）（Ｂ）（Ｃ）（Ｄ）に示すように左右方向に貫通したチップ出入用孔９３と、このチップ出入用孔９３内の中間部位に形成された例えば球面状または円錐状などの球状の軸面を有する軸体を回動自在に受け得るいわゆる幾何学的回転面形状の係合用受け座９４と、この係合用受け座９４に対して回動自在に係合する先端チップ９２の中心から上下左右にそれぞれ延びた放射十字状のスリット９５とが形成されている。各スリット９５の幅は連結アーム９１の径、特に上下及び左右の径より大きく、また、先端チップ９２の径よりも小さい。
【００５０】
更に、釣竿１１の接続部９０には係合用受け座９４から腹当て本体２７における後端部領域に至り、上記係合用受け座９４の軸受け中心を頂点とする円錐状の切欠き開口部９６が形成され、先端チップ９２を中心とする連結アーム９１の回動を許容するとともに、その切欠開口部９６の内面によって先端チップ９２を中心とする連結アーム９１の回動範囲θの両終端を規制するストッパを構成している。つまり釣竿１１の接続部９０には上記釣竿の竿先側を上下方向及び左右方向を含み、また斜め方向へも振れるように釣竿保持具に釣竿１１を回動自在に支持する竿回動支持部を構成する。したがって本実施形態の竿回動支持部は釣竿の回動方向が上下方向及び左右方向を含みそれ以外の向きにも回動可能であるために釣竿の竿先側を上下及び水平（左右）な方向のみならず、それ以外の向きにも回動可能であるため、釣竿を多くの方向に移動させる竿操作性能を高めることができる。
【００５１】
また、チップ出入用孔９３より先端チップ９２が小さいので該先端チップ９２はチップ出入用孔９３から出し入れ可能である。これにより釣竿保持具から釣竿１１を釣竿自体の操作で外せる竿着脱部を構成する。
【００５２】
以上のごとく、係合用受け座９４には釣竿保持具の竿受部３４の先端チップ９２を係合して先端チップ９２それ自身の中心を回動中心として釣竿を回動可能に竿受部３４に釣竿を支持する。つまり釣竿１１の接続部９０には竿受部に支持された釣竿の竿先側が上下に振れる向きに元竿の竿尻部を支持する竿回動支持部と、竿先側を水平方向へ移動自在に元竿の竿尻部を支持する竿回動支持部とを構成している。
【００５３】
本実施形態では釣竿の回動方向が上下方向及び左右方向を含みそれ以外の向きにも回動可能であるために釣竿の竿先側を上下及び水平な左右方向のみならず、それ以外の向きにも回動可能であるため、釣竿を移動させる竿操作性能を高めることができる。
【００５４】
本実施形態に係る釣竿は以上の如く構成され、これを使用する場合は釣竿における腹当て部材２５のチップ出入用孔９３に竿受部３４の先端チップ９２を差し込み、連結アーム９１をスリット９５のスリット部に通すことにより切欠き開口部９６内の係合用受け座９４に先端チップ９２を位置させることができる（図２７参照）。また、その逆の操作により竿受部から釣竿を取り外すことができる。
【００５５】
竿受部に釣竿を取り付けた後、釣竿１１の元竿部分を下げて略Ｕ字状の竿掛部に掛けて載置すると、釣竿１１は魚の当たりを待つ所定の姿勢で釣竿保持具に保持できる。先端チップは係合用受け座に対して上下左右の方向を含むそれ以外の方向にも回動できるため、魚の当たりがあっ場合、釣竿の穂先側を持ち上げるフッキングはもちろん釣竿の穂先側を左右に移動する操作も可能であり、その竿操作を竿受部に釣竿を連結したまま魚の当たりを感じたら素早く行うことが可能になる。針の喰込みを促すためにフッキング操作や竿移動は石鯛釣のように大型の魚を釣る際に重要であるが、本実施形態の釣竿は魚の当たりがあった場合に釣竿保持具に釣竿を保持したままでも穂先側を持ち上げるフッキング操作等の竿操作を釣竿保持具から釣竿を外すことなく素早く対応できる。
【００５６】
図２８及び図２９は釣竿の更に異なる他の例を示す。先に図２５乃至図２７に基づいて述べた実施形態では釣竿保持具の竿受部３４に連結アーム９１及び先端チップ９２を設けるようにしたが、この実施形態では連結アーム９１と先端チップ９２を、釣竿１１の元竿１２における腹当て部材２５に組み込み、釣竿１１側に装着しておくようにしたものである。連結アーム９１の突出し端部には釣竿保持具の竿受部３４に対して着脱自在に接続する連結部としてのリング部１０１を設ける。
【００５７】
図２９に示すように釣竿保持具の竿受部３４は鉛直な支柱として形成した竿受けアーム３５の途中に連結部材４７を取り付ける。この連結部材４７は竿受けアーム３５に被嵌するリング部４８と、このリング部４８から釣竿側への前方へ突出した一対の連結片４９とを含み構成される。図２９に示すように一対の連結片４９はその間に上下方向へ突抜けた切欠き状の隙間１０２を形成し、この隙間に上記釣竿１１側のリング部１０１を差し込んで配置できるようになっている。連結片４９には水平方向に一致する同軸上に位置して左右に貫通して形成されるピン差込み孔１０３が形成されていて、図２９に示すようにピン差込み孔１０３及びリング部１０１の孔部にわたり連結ピン１０４を差し込むことにより上記釣竿１１側のリング部１０１を釣竿保持具の竿受部３４に対して接続できるようになっている。連結ピン１０４は抜差し自在であるため、釣竿１１側のリング部１０１を釣竿保持具の竿受部３４に対して着脱できる。
【００５８】
そして上述した構成により釣竿保持具から釣竿１１を釣竿自体の操作で外せる竿着脱部を構成する。その他の構成は上述した図２５乃至図２７に基づいて述べた実施形態のものと同様に構成できる。同一の符号を使用してその説明を省略する。
【００５９】
本発明は上記実施の形態に限ることなく、本発明の要旨を逸脱しない範囲で種々の変形が可能である。また、上記実施の形態には種々の段階の発明が含まれており、上記実施の形態に示された事項の適宜な組み合わせの発明が抽出される。
【図面の簡単な説明】
【００６０】
【図１】本実施形態に係る釣竿の側面図。
【図２】上記釣竿の元竿付近を拡大して示す側面図。
【図３】（Ａ）は腹当て部材を取り付けた上記釣竿の竿尻部を一部縦断して示す側面図、（Ｂ）は同じく腹当て部材を取り付けた上記釣竿の竿尻部を一部縦断して示す下面図。
【図４】上記釣竿保持具に接続する使用状態を説明する斜視図。
【図５】上記釣竿保持具の竿受部の斜視図。
【図６】上記釣竿保持具の竿受部に上記釣竿の竿尻部を組み付ける状況を示す斜視図。
【図７】他の釣竿の竿尻部の例であり、（Ａ）はその腹当て部材を取り付けた上記釣竿の竿尻部を一部縦断して示す側面図、（Ｂ）は同じく腹当て部材を取り付けた上記釣竿の竿尻部を一部縦断して示す下面図。
【図８】上記釣竿の竿尻部を組み付ける釣竿保持具の竿受部の斜視図。
【図９】上記釣竿保持具の竿受部に上記釣竿の竿尻部を組み付ける状況を示す斜視図。
【図１０】他の釣竿の竿尻部の例であり、（Ａ）はその腹当て部材を取り付けた上記釣竿の竿尻部を一部縦断して示す側面図、（Ｂ）は同じく腹当て部材を取り付けた上記釣竿の竿尻部を一部縦断して示す下面図。
【図１１】上記釣竿の竿尻部を組み付ける釣竿保持具の竿受部の斜視図。
【図１２】上記釣竿保持具の竿受部に上記釣竿の竿尻部を組み付けた状況を示す斜視図。
【図１３】（Ａ）は上記釣竿保持具の竿受部に上記釣竿の竿尻部を組み付けた状態での縦断面図、（Ｂ）は上記釣竿保持具の竿受部から上記釣竿の竿尻部を取り外す状態での縦断面図。
【図１４】他の釣竿保持具の竿受部の斜視図。
【図１５】上記竿受部に釣竿の竿尻部を組み付ける状況を示す斜視図。
【図１６】他の釣竿の竿尻部の例であり、（Ａ）はその腹当て部材を取り付けた上記釣竿の竿尻部を一部縦断して示す側面図、（Ｂ）は同じく腹当て部材を取り付けた上記釣竿の竿尻部を一部縦断して示す下面図。
【図１７】上記釣竿の竿尻部を組み付ける釣竿保持具の竿受部の斜視図。
【図１８】上記竿受部に釣竿の竿尻部を組み付けた状況を示す斜視図。
【図１９】（Ａ）は上記釣竿保持具の竿受部に上記釣竿の竿尻部を組み付けた状態での縦断面図、（Ｂ）は上記釣竿保持具の竿受部から上記釣竿の竿尻部を取り外す状態での縦断面図。
【図２０】（Ａ）は他の釣竿保持具の竿受部に釣竿の竿尻部を組み付けた状態での縦断面図、（Ｂ）は上記釣竿保持具の竿受部から上記釣竿の竿尻部を取り外す状態での縦断面図。
【図２１】他の釣竿の竿尻部の例であり、（Ａ）はその腹当て部材を取り付けた上記釣竿の竿尻部を一部縦断して示す平面図、（Ｂ）は同じく腹当て部材を取り付けた上記釣竿の竿尻部を一部縦断して示す側面図、（Ｃ）は（Ｂ）中のＣ−Ｃ線に沿う上記釣竿の竿尻部の縦断面図。
【図２２】上記竿受部に釣竿の竿尻部を組み付ける状況を示す斜視図。
【図２３】他の釣竿の竿尻部の例であり、（Ａ）はその腹当て部材を取り付けた上記釣竿の竿尻部を一部縦断して示す平面図、（Ｂ）は同じく腹当て部材を取り付けた上記釣竿の竿尻部を一部縦断して示す側面図、（Ｃ）は（Ａ）中のＣ−Ｃ線に沿う上記釣竿の竿尻部の縦断面図、（Ｄ）はその上記釣竿の竿尻部の下面図。
【図２４】上記竿受部に釣竿の竿尻部を組み付ける状況を示す斜視図。
【図２５】他の釣竿の竿尻部の例であり、（Ａ）はその腹当て部材を取り付けた上記釣竿の竿尻部を一部縦断して示す平面図、（Ｂ）は同じく腹当て部材を取り付けた上記釣竿の竿尻部を一部縦断して示す側面図、（Ｃ）は（Ａ）中のＣ−Ｃ線に沿う上記釣竿の竿尻部の縦断面図、（Ｄ）は（Ａ）中のＤ−Ｄ線に沿う上記釣竿の竿尻部の縦断面図。
【図２６】上記釣竿の竿尻部を組み付ける竿受部の斜視図。
【図２７】上記竿受部に釣竿の竿尻部を組み付けた状況を示す斜視図。
【図２８】他の釣竿の竿尻部の例であり、（Ａ）はその腹当て部材を取り付けた上記釣竿の竿尻部を一部縦断して示す平面図、（Ｂ）は同じく腹当て部材を取り付けた上記釣竿の竿尻部を一部縦断して示す側面図、（Ｃ）は（Ａ）中のＣ−Ｃ線に沿う上記釣竿の竿尻部の縦断面図。
【図２９】上記釣竿の竿尻部を組み付ける竿受部の斜視図。
【図３０】従来の釣竿保持具の斜視図。
【図３１】同じくその従来の釣竿保持具の使用状態の側面図。
【符号の説明】
【００６１】
１１…釣竿
２７…腹当て本体
２９…支持用孔
３１…釣竿保持具
５７…連結ピン
【図１】
2009055839.tif 000003
【図２】
2009055839.tif 000004
【図３】
2009055839.tif 000005
【図４】
2009055839.tif 000006
【図５】
2009055839.tif 000007
【図６】
2009055839.tif 000008
【図７】
2009055839.tif 000009
【図８】
2009055839.tif 000010
【図９】
2009055839.tif 000011
【図１０】
2009055839.tif 000012
【図１１】
2009055839.tif 000013
【図１２】
2009055839.tif 000014
【図１３】
2009055839.tif 000015
【図１４】
2009055839.tif 000016
【図１５】
2009055839.tif 000017
【図１６】
2009055839.tif 000018
【図１７】
2009055839.tif 000019
【図１８】
2009055839.tif 000020
【図１９】
2009055839.tif 000021
【図２０】
2009055839.tif 000022
【図２１】
2009055839.tif 000023
【図２２】
2009055839.tif 000024
【図２３】
2009055839.tif 000025
【図２４】
2009055839.tif 000026
【図２５】
2009055839.tif 000027
【図２６】
2009055839.tif 000028
【図２７】
2009055839.tif 000029
【図２８】
2009055839.tif 000030
【図２９】
2009055839.tif 000031
【図３０】
2009055839.tif 000032
【図３１】
2009055839.tif 000033